(57)【要約】【課題】  導光板の上下面側を効率良く照明できる照明装置およびそれを備えた時計を提供する。【解決手段】  発光素子１６と、この発光素子１６で発光した光を採り込んで面方向に導く導光板１７と、を備え、この導光板１７の下面に、その面方向に導かれた光を導光板１７の上面側に向けて拡散する下面拡散部１８を設け、導光板１７の上面に、その面方向に導かれた光を導光板１７の下面側に向けて拡散する上面拡散部１９を設けた。従って、導光板１７で面方向に導かれた発光素子１６の光を下面拡散部１８によって導光板１７の上面側に放射することができるので、導光板１７の上面側を良好に照明することができる。また、導光板１７で面方向に導かれた発光素子１６の光を上面拡散部１９によって導光板１７の下面側に放射することができるので、導光板１７の下面側を良好に照明することができる。【選択図】        図４
2016021327.tif 000002
【特許請求の範囲】
【請求項１】
発光素子と、
この発光素子で発光した光を採り込んで面方向に導く導光板と、
を備え、
前記導光板の下面には、前記面方向に導かれた光を前記導光板の上面側に向けて拡散する下面拡散部が設けられ、前記導光板の上面には、前記面方向に導かれた光を前記導光板の下面側に向けて拡散する上面拡散部が設けられていることを特徴とする照明装置。
【請求項２】
請求項１に記載の照明装置において、前記上面拡散部は、前記導光板の上面における所定の個所に設けられ、前記下面拡散部は、前記上面拡散部と対向する所定の個所に非拡散部が設けられ、当該非拡散部を除いた前記導光板の下面の領域に設けられていることを特徴とする照明装置。
【請求項３】
請求項１または請求項２に記載の照明装置において、前記上面拡散部は、前記導光板の上面に形成された多数の微細なV字溝であり、前記下面拡散部は、前記発光素子側のドット密度が粗く、前記発光素子から離れるに従って次第にドット密度が密になるドットパターンであることを特徴とする照明装置。
【請求項４】
請求項１〜請求項３のいずれかに記載された照明装置と、当該照明装置の前記導光板の上面側に配置されて上方を指針が運針する文字板と、前記照明装置の前記導光板の下面側に配置された表示パネルと、を備えていることを特徴とする時計。
【発明の詳細な説明】
【技術分野】
【０００１】
この発明は、時計や携帯電話機、携帯情報端末機などの電子機器に用いられる照明装置およびそれを備えた時計に関する。
【背景技術】
【０００２】
例えば、腕時計の照明装置においては、特許文献１に記載されているように、発光素子と導光板とを備え、導光板に表示開口部を設け、発光素子の光を導光板内に採り込んで面方向に導くことにより、この導光板で導かれた光を、導光板の上面から上方に放射すると共に、導光板の表示開口部の内周に位置する内端面から表示開口部内に放射するように構成されたものが知られている。
【先行技術文献】
【特許文献】
【０００３】
【特許文献１】特開２００２−２８６８６９号公報
【０００４】
このような腕時計の照明装置は、導光板の上面側に透明または半透明の文字板が配置され、導光板の表示開口部の下側に液晶表示パネルが配置され、発光素子の光を導光板内に採り込んで面方向に導かれた光を、導光板の上面から放射して文字板を照明すると共に、導光板の表示開口部の内周に位置する内端面から表示開口部内に向けて放射して液晶表示パネルの上面側を照明するように構成されている。
【発明の概要】
【発明が解決しようとする課題】
【０００５】
しかしながら、このような腕時計の照明装置では、導光板に設けられた表示開口部の内周に位置する内端面から光を放射して、その下側に配置された液晶表示パネルを照明しているため、液晶表示パネルの全体を均一な明るさで照明することができないという問題がある。すなわち、液晶表示パネルの周辺部を明るく照明することができても、液晶表示パネルの中心部を十分な照度で照明することができない。
【０００６】
この発明が解決しようとする課題は、導光板の上下面側を効率良く照明することができる照明装置およびそれを備えた時計を提供することである。
【課題を解決するための手段】
【０００７】
この発明は、発光素子と、この発光素子で発光した光を採り込んで面方向に導く導光板と、を備え、前記導光板の下面には、前記面方向に導かれた光を前記導光板の上面側に向けて拡散する下面拡散部が設けられ、前記導光板の上面には、前記面方向に導かれた光を前記導光板の下面側に向けて拡散する上面拡散部が設けられていることを特徴とする照明装置である。
【発明の効果】
【０００８】
この発明によれば、導光板で面方向に導かれた発光素子の光を導光板の下面拡散部によって導光板の上面側に向けて拡散して放射することができるので、導光板の上面側を良好に照明することができる。また、導光板で面方向に導かれた発光素子の光を導光板の上面拡散部によって導光板の下面側に向けて拡散して放射することができるので、導光板の下面側を良好に照明することができる。これにより、導光板の上下面側を効率良く照明することができる。
【図面の簡単な説明】
【０００９】
【図１】この発明を腕時計に適用した一実施形態を示した拡大断面図である。
【図２】図１に示された腕時計における時計モジュールを示した拡大正面図である。
【図３】図２に示された腕時計の照明装置を示した拡大平面図である。
【図４】図３に示された照明装置のＡ−Ａ矢視における要部の拡大断面図である。
【発明を実施するための形態】
【００１０】
以下、図１〜図４を参照して、この発明を腕時計に適用した一実施形態について説明する。
この腕時計は、図１に示すように、腕時計ケース１を備えている。この腕時計ケース１の上部開口部には、時計ガラス２がパッキン（図示せず）を介して取り付けられている。また、この腕時計ケース１の下部には、裏蓋３が防水リング（図示せず）を介して取り付けられている。
【００１１】
また、この腕時計ケース１の内部には、図１に示すように、時計モジュール４が設けられている。この時計モジュール４は、上部ハウジング５と下部ハウジング６とを備えている。上部ハウジング５と下部ハウジング６との間には、回路基板７が配置されている。この回路基板７のほぼ中心部には、貫通孔７ａが上下に貫通して設けられている。
【００１２】
また、上部ハウジング５の上面には、図１に示すように、後述する照明装置８が設けられている。この照明装置８の上面には、文字板９が配置されている。この文字板９は、透明または半透明の合成樹脂で形成されている。この文字板９のほぼ中心部には、貫通孔９ａが、回路基板７の貫通孔７ａと同一軸上に対応して設けられている。
【００１３】
また、上部ハウジング５の内部には、図１および図２に示すように、液晶表示パネル１０が照明装置８の下面に対応して配置されている。この液晶表示パネル１０は、平面型の表示装置である。すなわち、この液晶表示パネル１０は、上下一対の透明基板１０ａ、１０ｂの各対向面に一対の透明な電極（図示せず）が設けられ、これら一対の透明基板１０ａ、１０ｂ間に液晶（図示せず）が封入され、上側の透明基板１０ａの上面に上側偏光板１０ｃが設けられ、下側の透明基板１０ｂの下面に下側偏光板１０ｄが設けられた構成になっている。
【００１４】
この場合、液晶表示パネル１０の下面、つまり下側偏光板１０ｄの下面には、反射板（図示せず）が設けられている。これにより、この液晶表示パネル１０は、図１および図２に示すように、一対の透明な電極（図示せず）に選択的に電圧を印加し、液晶（図示せず）の配向状態を変化させて、液晶による光の透過状態を制御することにより、時刻などの情報を電気光学的に表示するように構成されている。
【００１５】
すなわち、この液晶表示パネル１０は、図１および図２に示すように、上側偏光板１０ｃから入射した光が一対の透明基板１０ａ、１０ｂおよび下側偏光板１０ｄを透過し、この透過した光が反射板で反射され、この反射された光が再び下側偏光板１０ｄから入射して一対の透明基板１０ａ、１０ｂおよび上側偏光板１０ｃを透過する際に、電圧が印加された個所と電圧が印加されていない個所とで、液晶による光の透過状態が異なり、この光の透過状態に応じて、時刻などの情報を電気光学的に表示するように構成されている。
【００１６】
この場合、液晶表示パネル１０は、図１〜図３に示すように、文字板９に対応するほぼ円形状に形成され、表示された情報が後述する照明装置８、文字板９、および時計ガラス２を通して腕時計ケース１の上方から見えるように構成されている。また、この液晶表示パネル１０の中心部には、貫通孔１１が、文字板９の貫通孔９ａおよび回路基板７の貫通孔７ａと同一軸上に対応した状態で、上下に貫通して設けられている。さらに、この液晶表示パネル１０は、インターコネクタ（図示せず）によって回路基板７と電気的に接続されている。
【００１７】
また、この液晶表示パネル１０は、図２および図３に示すように、貫通孔１１を境にして、６時側の領域と、２時側の領域と、１０時側の領域とが、それぞれほぼ同じ面積で表示領域１２ａ，１２ｂ，１２ｃに形成されている。すなわち、この液晶表示パネル１０は、各表示領域１２ａ〜１２ｃに対応する個所のみに透明な電極（図示せず）が設けられていることにより、これら表示領域１２ａ〜１２ｃのみが時刻などの情報を表示するように構成されている。
【００１８】
一方、下部ハウジング６の内部には、図１に示すように、時計ムーブメント１３が設けられている。この時計ムーブメント１３は、時針および分針などの指針１４が取り付けられた指針軸１５を回転させることにより、指針１４を文字板９の上方で運針させて時刻を指示させるように構成されている。この場合、指針軸１５は、時計ムーブメント１３上に設けられて、文字板９の上方に突出するように構成されている。
【００１９】
すなわち、この指針軸１５は、図１および図２に示すように、時計ムーブメント１３上に設けられた状態で、回路基板７の貫通孔７ａ、液晶表示パネル１０の貫通孔１１、後述する照明装置８の導光板１７の貫通孔１７ａ、および文字板９の貫通孔９ａに下側から挿入して、文字板９の上方に突出し、この突出した上端部に指針１４が取り付けられるように構成されている。
【００２０】
ところで、照明装置８は、図１および図３に示すように、発光ダイオードなどの発光素子１６と、この発光素子１６の光を内部に採り込んで面方向に導く導光板１７と、を備えている。発光素子１６は、導光板１７の一側部、例えば６時側に位置する側面に対応した状態で、上部ハウジング５上に設けられている。
【００２１】
この発光素子１６は、図１および図３に示すように、接続部材１６ａによって回路基板７と電気的に接続されている。これにより、発光素子１６は、回路基板７から電流が供給されて発光した際に、その発光した光を導光板１７の側面に向けて照射させるように構成されている。
【００２２】
導光板１７は、図１および図３に示すように、ポリカーボネート（ＰＣ）などの透明な合成樹脂によってほぼ平板状に形成されている。この導光板１７は、文字板９の外形とほぼ同じ形状で、かつほぼ同じ大きさに形成され、文字板９の下面と液晶表示パネル１０の上面との間に配置された状態で、上部ハウジング５上に設けられている。
【００２３】
この場合、導光板１７は、図３に示すように、その一側部、例えば６時側に位置する側部にほぼ四角形状の切欠き部１７ｂが設けられ、この切欠き部１７ｂ内に発光素子１６が配置され、切欠き部１７ｂの内周面から発光素子１６の光を導光板１７の内部に採り込むように構成されている。また、この導光板１７の中心部には、図１および図３に示すように、貫通孔１７ａが、回路基板７の貫通孔７ａ、液晶表示パネル１０の貫通孔１１、および文字板９の貫通孔９ａと同一軸上に対応して設けられている。
【００２４】
この導光板１７の下面には、図４に示すように、導光板１７の面方向に導かれた光を導光板１７の上面側に向けて拡散する下面拡散部１８が設けられている。また、この導光板１７の上面には、導光板１７の面方向に導かれた光を導光板１７の下面側に向けて拡散する上面拡散部１９が設けられている。これにより、導光板１７は、発光素子１６の光を、内部に採り込んで面方向に導きながら、上面および下面から放射するように構成されている。
【００２５】
すなわち、導光板１７の下面に設けられた下面拡散部１８は、図４に示すように、発光素子１６の光を導光板１７の上面からほぼ均一に放射するためのドットパターンである。このドットパターンは、発光素子１６側のドット密度が粗く、発光素子１６から離れる方向に向けて次第にドット密度が密になるように構成されている。
【００２６】
この場合、下面拡散部１８は、図４に示すように、後述する上面拡散部１９に対応する個所を除いて、導光板１７の下面に設けられている。すなわち、導光板１７の下面には、非拡散部１８ａが上面拡散部１９に対応して設けられている。このため、導光板１７の下面には、下面拡散部１８と非拡散部１８ａとが同一平面内に並列に設けられている。
【００２７】
これにより、導光板１７は、図３および図４に示すように、発光素子１６の光を一側面から内部に採り込み、この採り込んだ光を発光素子１６と反対側の側部に向けて面方向に導く際に、上面拡散部１９に対応する非拡散部１８ａを除いて、下面拡散部１８のドットパターンによってほぼ均一な光量になるように導きながら、導光板１７の上面からほぼ均一な輝度になるように放射することにより、文字板９の下面側をほぼ均一な照度で照明するように構成されている。
【００２８】
また、導光板１７の上面に設けられた上面拡散部１９は、図２〜図４に示すように、液晶表示パネル１０の各表示領域１２ａ，１２ｂ，１２ｃに対応する導光板１７の複数個所にそれぞれ設けられている。これら複数の上面拡散部１９は、導光板１７の上面に形成された多数の微細なＶ字溝１９ａである。すなわち、これら多数の微細なＶ字溝１９ａは、発光素子１６で発光した光の進行方向に対して直交する方向に形成された多数の横溝と、これら多数の横溝を横切る複数の縦溝と、を有している。
【００２９】
これにより、多数の微細なＶ字溝１９ａは、図３および図４に示すように、導光板１７で導かられた光を複数の縦溝によって多数の横溝に順次導くと共に、これら多数の横溝と複数の縦溝とによって、導光板１７で導かられた光を導光板１７の下面側に向けて拡散するように構成されている。
【００３０】
このため、上面拡散部１９は、図１〜図４に示すように、拡散した光を下面拡散部１８の非拡散部１８ａから導光板１７の下側に向けて放射することにより、液晶表示パネル１０の各表示領域１２ａ，１２ｂ，１２ｃに照射して、各表示領域１２ａ〜１２ｃを照明するように構成されている。また、この上面拡散部１９は、導光板１７で導かられた光を液晶表示パネル１０の各表示領域１２ａ〜１２ｃに照射させて照明することにより、表示された情報が上面拡散部１９の上方から見えるように構成されている。
【００３１】
すなわち、液晶表示パネル１０は、図１および図２に示すように、導光板１７からの光が各表示領域１２ａ〜１２ｃに照射されると、その光が液晶表示パネル１０を上面側から下面側に向けて透過し、その透過した光が液晶表示パネル１０の下面に設けられた反射板（図示せず）によって反射され、この反射された光が再び液晶表示パネル１０を透過して下面拡散部１８の非拡散部１８ａから導光板１７内に入射し、この入射した光が上面拡散部１９を透過することにより、表示された情報が上面拡散部１９の上方から見えるように構成されている。
【００３２】
次に、このような腕時計の照明装置８の作用について説明する。
この照明装置８は、発光素子１６が発光されると、その発光した光が導光板１７の内部に採り込まれ、この採り込まれた光が導光板１７によって面方向に導かれながら、導光板１７の上面および下面から放射されることにより、文字板９および液晶表示パネル１０を照明する。すなわち、発光素子１６が発光すると、その発光した光が導光板１７の切欠き部１７ｂの内周面から導光板１７の内部に採り込まれる。
【００３３】
この導光板１７内に採り込まれた光は、導光板１７内をその面方向に沿って導かれながら、導光板１７の上面および下面から放射される。このときには、導光板１７の下面に設けられた下面拡散部１８のドットパターンによって、発光素子１６の光が、上面拡散部１９に対応する非拡散部１８ａを除いて、導光板１７の面方向に沿ってほぼ均一な光量になるように効率良く導かれる。
【００３４】
この導光板１７で面方向に導かれた光は、上面拡散部１９に対応する非拡散部１８ａを除いて、導光板１７の下面に設けられた下面拡散部１８のドットパターンによって導光板１７の上面側に向けて拡散される。この拡散された光は、上面拡散部１９を除いて、導光板１７の上面からほぼ均一な輝度で放射される。これにより、文字板９の下面全体がほぼ均一な照度で明るく照明される。
【００３５】
一方、この導光板１７で面方向に導かれて上面拡散部１９に到達した光は、上面拡散部１９の多数の微細なＶ字溝１９ａによって導光板１７の下面側に向けて拡散される。すなわち、上面拡散部１９の多数の微細なＶ字溝１９ａは、導光板１７で導かられた光を複数の縦溝によって多数の横溝に順次導くと共に、これら多数の横溝と複数の縦溝とによって、導光板１７で導かられた光を導光板１７の下面側に向けて拡散する。
【００３６】
この上面拡散部１９の多数の微細なＶ字溝１９ａによって拡散された光は、下面拡散部１８の非拡散部１８ａを通して液晶表示パネル１０の上面に照射される。これにより、液晶表示パネル１０の各表示領域１２ａ，１２ｂ，１２ｃに表示された情報が上面拡散部１９の上方から見える。
【００３７】
次に、このような照明装置８を備えた腕時計の作用について説明する。
この腕時計は、通常、時計ムーブメント１３によって指針軸１５が駆動されて、指針１４が文字板９の上方で運針することにより、現在時刻が指示される。また、このときには、液晶表示パネル１０の一対の透明基板１０ａ、１０ｂの各対向面に設けられた一対の透明な電極（図示せず）に選択的に電圧が印加されることにより、現在時刻などの情報が電気光学的に表示される。
【００３８】
また、この状態で、照明装置８の発光素子１６が発光されると、文字板９および指針１４が照明されると共に、液晶表示パネル１０が照明される。このときには、発光素子１６で発光した光が、導光板１７内に採り込まれ、この採り込まれた光が導光板１７で面方向にほぼ均一な光量になるように導かれながら、下面拡散部１８によって導光板１７の上面からほぼ均一な輝度で放射されると共に、上面拡散部１９によって導光板１７の下面からも放射され、この放射された光によって文字板９および液晶表示パネル１０が照明される。
【００３９】
これにより、導光板１７の上面から放射された光が文字板９を透過して、その上方に放射され、この放射された光によって指針１４が照明される。このため、暗い所でも指針１４によって指示された現在時刻を知ることができる。また、導光板１７の下面から放射された光が液晶表示パネル１０に照射され、この照射された光によって、液晶表示パネル１０の各表示領域１２ａ〜１２ｃに表示された現在時刻などの情報が暗い所でも見える。
【００４０】
この場合、液晶表示パネル１０は、一対の透明な電極（図示せず）に選択的に電圧が印加されると、電圧が印加された個所の液晶（図示せず）の配向状態が変化して、電圧が印加された個所と電圧が印加されていない個所とで、液晶による光の透過状態が異なり、この光の透過状態に応じて、時刻などの情報を電気光学的に表示する。
【００４１】
すなわち、上面拡散部１９によって拡散されて液晶表示パネル１０に照射された光は、液晶表示パネル１０を上面側から下面側に向けて透過する。この透過した光は、液晶表示パネル１０の下面に設けられた反射板（図示せず）によって反射される。この反射された光は、再び、液晶表示パネル１０を下面側から上面側に向けて透過する。これにより、液晶による光の透過状態に応じて、時刻などの情報を電気光学的に表示する。
【００４２】
そして、液晶表示パネル１０を下面側から上面側に向けて透過した光は、下面拡散部１８の非拡散部１８ａから導光板１７に入射する。この入射した光は、上面拡散部１９を透過して上方に放射される。これにより、液晶表示パネル１０の各表示領域１２ａ〜１２ｃに表示された情報が上面拡散部１９の上方から見える。
【００４３】
このように、この腕時計の照明装置８によれば、発光素子１６と、この発光素子１６で発光した光を採り込んで面方向に導く導光板１７と、を備え、この導光板１７の下面に、その面方向に導かれた光を導光板１７の上面側に向けて拡散する下面拡散部１８が設けられ、導光板１７の上面に、その面方向に導かれた光を導光板１７の下面側に向けて拡散する上面拡散部１９が設けられていることにより、導光板１７の上下面側を効率良く照明することができる。
【００４４】
すなわち、この腕時計の照明装置８では、導光板１７で面方向に導かれた発光素子１６の光を導光板１７の下面拡散部１８によって導光板１７の上面側に向けて拡散して放射することができるので、導光板１７の上面側を良好に照明することができる。また、導光板１７で面方向に導かれた発光素子１６の光を導光板１７の上面拡散部１９によって導光板１７の下面側に向けて拡散させて放射することができるので、導光板１７の下面側を良好に照明することができる。これにより、導光板１７の上下面側を効率良く照明することができる。
【００４５】
このため、この腕時計の照明装置８では、発光素子１６を導光板１７の一側部に対応させて１つだけ配置するだけで、導光板１７の上下面側を効率良く照明することができるので、発光素子１６が最小限の個数で済み、部品点数が少なく、構造および組立作業の簡素化を図ることができると共に、低コスト化を図ることができるほか、消費電力を最小限に抑えることができるので、ランニングコストも最小限に抑えることができる。
【００４６】
この場合、上面拡散部１９は、導光板１７の上面における予め定められた複数個所に設けられており、下面拡散部１８は、予め定められた複数の上面拡散部１９と対向する非拡散部１８ａを除いて、導光板１７の下面のほぼ全域に設けられていることにより、導光板１７の上下面側における予め定められた複数個所を確実にかつ良好に照明することができる。
【００４７】
すなわち、この照明装置８では、導光板１７で面方向に導かれた光が到達すると、その光を予め定められた複数の上面拡散部１９によって導光板１７の下面側に向けて拡散させることができ、この拡散された光を下面拡散部１８の予め定められた複数の非拡散部１８ａから導光板１７の下面側に確実に放射することができるので、導光板１７の下面側を良好に照明することができる。
【００４８】
また、この照明装置８では、導光板１７で面方向に導かれた光が到達すると、その光を下面拡散部１８によって導光板１７の上面側に向けて拡散することができ、下面拡散部１８の予め定められた複数の非拡散部１８ａを除いて、下面拡散部１８で拡散された光を導光板１７の上面側に確実に放射することができるので、導光板１７の上面側を良好に照明することができる。
【００４９】
この場合、上面拡散部１９は、導光板１７の上面に形成された多数の微細なV字溝１９ａであり、下面拡散部１８は、発光素子１６側のドット密度が粗く、発光素子１６から離れる方向に向けて次第にドット密度が密になるドットパターンであることにより、発光素子１６の光が導光板１７に採り込まれた際に、下面拡散部１８によって導光板１７の面方向に効率良く導くことができる。
【００５０】
すなわち、この照明装置８では、導光板１７に採り込まれた発光素子１６の光を、上面拡散部１９に対応する非拡散部１８ａを除いて、下面拡散部１８のドットパターンによって、導光板１７の面方向に沿ってほぼ均一な光量になるように効率良く導き、この導かれた光を導光板１７の上面側に向けてほぼ均一な輝度で放射することができる。
【００５１】
また、このときには、下面拡散部１８によって導光板１７の面方向に沿って導かれた光を、導光板１７の上面に形成された上面拡散部１９の多数の微細なV字溝１９ａによって導光板１７の下面側に向けて確実にかつ良好に拡散することができ、これにより導光板１７で導かれた光を導光板１７の下面における下面拡散部１８の非拡散部１８ａから確実にかつ良好に放射することができる。
【００５２】
この場合、上面拡散部１９の多数の微細なV字溝１９ａは、発光素子１６で発光した光の進行方向に対して直交する方向に形成された多数の横溝と、これら多数の溝を横切る複数の縦溝と、を有していることにより、複数の縦溝によって導光板１７で導かられた光を多数の横溝に導くことができ、これら多数の横溝および複数の縦溝によって導光板１７で導かられた光を導光板１７の下面側に向けて確実にかつ効率良く拡散することができる。
【００５３】
また、この腕時計では、照明装置８と、この照明装置８の導光板１７の上面側に配置されて上方を指針１４が運針する文字板９と、照明装置８の導光板１７の下面側に配置された液晶表示パネル１０と、を備えていることにより、指針１４が文字板９の上方を運針して現在時刻を指示することができ、また液晶表示パネル１０が選択的に駆動されると、現在時刻などの情報を電気光学的に表示することができる。
【００５４】
この場合、この腕時計では、照明装置８の発光素子１６を発光させると、この照明装置８の導光板１７によって文字板９および指針１４を良好に照明することができると共に、液晶表示パネル１０をも良好に照明することができる。
【００５５】
すなわち、発光素子１６で発光した光が導光板１７内に採り込まれ、この採り込まれた光が導光板１７で面方向にほぼ均一な光量になるように導かれ、この導かれた光が下面拡散部１８で拡散されて導光板１７の上面側に放射されるので、この放射された光によって文字板９および指針１４を明るく照明することができ、これにより暗い所でも指針１４によって指示された現在時刻を鮮明に見ることができる。
【００５６】
また、この腕時計では、照明装置８の発光素子１６で発光した光が導光板１７で面方向にほぼ均一な光量になるように導かれ、この導かれた光が上面拡散部１９で拡散されて導光板１７の下面側に放射されるので、この放射された光によって液晶表示パネル１０の上面側を照明することができ、これにより暗い所でも液晶表示パネル１０の各表示領域１２ａ〜１２ｃにそれぞれ表示された情報を鮮明に見ることができる。
【００５７】
すなわち、液晶表示パネル１０は、導光板１７で導かれた光が上面拡散部１９によって拡散されて照射されると、その照射された光が液晶表示パネル１０を透過し、その透過した光が液晶表示パネル１０の下面に設けられた反射板（図示せず）によって反射され、この反射された光が、再び液晶表示パネル１０を透過して下面拡散部１８の非拡散部１８ａから導光板１７に入射し、この入射した光が上面拡散部１９を透過して上方に放射されることにより、液晶表示パネル１０の各表示領域１２ａ〜１２ｃに表示された情報を上面拡散部１９の上方から良好に見ることができる。
【００５８】
なお、上述した実施形態では、導光板１７の上面に設けられた上面拡散部１９が多数の微細なＶ字溝１９ａで形成されている場合について述べたが、これに限らず、多数の微細な凹凸によって形成された構成であっても良く、また光透過性を有する拡散シートを導光板１７の上面に設けた構成であっても良い。
【００５９】
また、上述した実施形態では、上面拡散部１９は、導光板１７の上面における予め定められた複数個所に設けられている場合について述べたが、複数個所に限らず、一個所つまり所定の個所であっても良い。また、下面拡散部１８は、上面拡散部１９と対向する非拡散部１８ａを除いて、導光板１７の下面のほぼ全域に設けられている場合について述べたが、これに限らず、非拡散部１８ａを除いた導光板１７の下面の領域に設けられていれば良い。
【００６０】
また、下面拡散部１８はドットパターンに限らず、例えば上面拡散部１９のように多数の微細なＶ字溝や微細な凹凸、光透過性を有する拡散シートで形成されても良い。また、導光板１７の下面に設けられた下面拡散部１８の下側に、下面拡散部１８に対応するように反射板を設けた構成であっても良い。反射板を設けることで、下面拡散部１８から光が漏れても導光板１７内に向けて反射させることができ、光のロスを少なくできる。
【００６１】
また、上述した実施形態では、導光板１７の一側部、つまり６時側に位置する導光板１７の側部に１つの発光素子１６を配置した場合について述べたが、これに限らず、例えば導光板１７の全周における複数個所にそれぞれ発光素子１６を配置した構成であっても良い。
【００６２】
さらに、上述した実施形態では、腕時計に適用した場合について述べたが、必ずしも腕時計である必要はなく、例えばトラベルウオッチ、懐中時計、目覚まし時計、置き時計、掛け時計などの各種の時計に適用することができる。また、必ずしも時計である必要はなく、例えば携帯電話機、携帯情報端末機などの各種の電子機器に広く適用することができる。
【００６３】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６４】
（付記）
請求項１に記載の発明は、発光素子と、この発光素子で発光した光を採り込んで面方向に導く導光板と、を備え、前記導光板の下面には、前記面方向に導かれた光を前記導光板の上面側に向けて拡散する下面拡散部が設けられ、前記導光板の上面には、前記面方向に導かれた光を前記導光板の下面側に向けて拡散する上面拡散部が設けられていることを特徴とする照明装置である。
【００６５】
請求項２に記載の発明は、請求項１に記載の照明装置において、前記上面拡散部は、前記導光板の上面における所定の個所に設けられ、前記下面拡散部は、前記上面拡散部と対向する所定の個所に非拡散部が設けられ、当該非拡散部を除いた前記導光板の下面の領域に設けられていることを特徴とする照明装置である。
【００６６】
請求項３に記載の発明は、請求項１または請求項２に記載の照明装置において、前記上面拡散部は、前記導光板の上面に形成された多数の微細なV字溝であり、前記下面拡散部は、前記発光素子側のドット密度が粗く、前記発光素子から離れるに従って次第にドット密度が密になるドットパターンであることを特徴とする照明装置である。
【００６７】
請求項４に記載の発明は、請求項１〜請求項３のいずれかに記載された照明装置と、当該照明装置の前記導光板の上面側に配置されて上方を指針が運針する文字板と、前記照明装置の前記導光板の下面側に配置された表示パネルと、を備えていることを特徴とする時計である。
【符号の説明】
【００６８】
１  腕時計ケース
４  時計モジュール
８  照明装置
９  文字板
１０  液晶表示パネル
１２ａ〜１２ｃ  表示領域
１３  時計ムーブメント
１４  指針
１５  指針軸
１６  発光素子
１７  導光板
１８  下面拡散部
１８ａ  非拡散部
１９  上面拡散部
１９ａ  微細なＶ字溝
【図１】
2016021327.tif 000003
【図２】
2016021327.tif 000004
【図３】
2016021327.tif 000005
【図４】
2016021327.tif 000006